(57)【特許請求の範囲】
【請求項１】
鍋を収納する本体と、前記鍋の上面開口部を覆う蓋体と、前記蓋体の内面に着脱自在に配設された加熱板と、前記加熱板の外周を保持する加熱板支えと、前記蓋体に設けられるとともに前記本体に配設され回動操作されるフックレバーに係合するためのフック部と、前記フック部後部に備えられた当接片と、前記フック部概略中央に備えられた軸に設けられるとともに前記フック部先端を上方に回動付勢する付勢バネとを有し、前記加熱板未装着時には前記付勢バネにより前記フック部は先端を上方に回動して前記フックレバーとの係合が阻止され、かつ、前記加熱板装着時には前記加熱板支えが前記当接片を押圧して前記フック部を前記フックレバーに係合する炊飯器。
【請求項２】
鍋を収納する本体と、前記鍋の上面開口部を覆う蓋体と、前記蓋体の内面に着脱自在に配設された加熱板と、加熱板の外周を保持する加熱板支えと、前記蓋体に設けられるとともに前記本体に配設され回動操作されるフックレバーに係合するためのフック部と、前記加熱板支えに設けられるとともに前記加熱板を蓋体に装着する際に前記蓋体のフック部をフックレバーに係合可能とするための係合片と、前記係合片に設けられるとともにフック部の前記フックレバーへの係合を案内するための傾斜部とを有してなり、前記加熱板装着時には前記フック部は前記傾斜部にガイドされて前記フックレバーに係合される炊飯器。
【発明の詳細な説明】
【技術分野】
【０００１】
本発明は、炊飯、保温を行う炊飯器に関するものである。
【背景技術】
【０００２】
従来の炊飯器は、図８のような構成であった。図８において、その後部にヒンジ部１と前部には係止部２とを設けた本体３と、この本体３に着脱自在に収納する鍋４と、前記ヒンジ部１で回動自在として前記鍋４を開閉する蓋体５と、この蓋体５には前記鍋４の上端をシールする鍋パッキン６と、この鍋４の上面開口部に配置した加熱板７とを備え、前記鍋パッキン６には概略３等分した二方に放射状フック片８を設けて前記蓋体５に着脱可能に装着するとともに、残りの一方には前記蓋体５の開口９を介して前記本体３の閉塞時に前記係止部２に係合するフック部１０を一体化して設けた炊飯器である。
【発明の開示】
【発明が解決しようとする課題】
【０００３】
しかしながら、上述のような構成の炊飯器では、鍋パッキン６は外して洗浄できるものの、前記鍋４の開口の大半を閉塞する前記加熱板７は洗浄できなかった。またこの加熱板７を着脱自在として洗浄可能とする際にはこの加熱板７の取付け忘れ防止をすることができるものが望まれている。
【０００４】
本発明は、加熱板の着脱の信頼性を高めた炊飯器を提供することを目的としている。
【課題を解決するための手段】
【０００５】
上記課題を解決するために、本発明の炊飯器は、鍋を収納する本体と、前記鍋の上面開口部を覆う蓋体と、前記蓋体の内面に着脱自在に配設された加熱板と、前記加熱板の外周を保持する加熱板支えと、前記蓋体に設けられるとともに前記本体に配設され回動操作されるフックレバーに係合するためのフック部と、前記フック部後部に備えられた当接片と、前記フック部概略中央に備えられた軸に設けられるとともに前記フック部先端を上方に回動付勢する付勢バネとを有し、前記加熱板未装着時には前記付勢バネにより前記フック部は先端を上方に回動して前記フックレバーとの係合が阻止され、かつ、前記加熱板装着時には前記加熱板支えが前記当接片を押圧して前記フック部を前記フックレバーに係合するものである。
【発明の効果】
【０００６】
以上のように、本発明によれば、フック部は、フックレバーを起こしながら蓋体を本体に載置することにより、前記フックレバーと係合可能としてなることにより、蓋体の閉鎖時に意識的にフックレバーを倒せば蓋体を本体に対して閉鎖することが可能となり、誤使用を防止するとともに、蓋体の閉鎖時に意識的にフックレバーを倒せば蓋体を本体に対して閉鎖可能となり、加熱板の洗浄または乾燥等のお手入れ時に蓋体開放のスペースを不要とするものである。
【発明を実施するための最良の形態】
【０００７】
請求項１記載の発明は、鍋を収納する本体と、前記鍋の上面開口部を覆う蓋体と、前記蓋体の内面に着脱自在に配設された加熱板と、前記加熱板の外周を保持する加熱板支えと、前記蓋体に設けられるとともに前記本体に配設され回動操作されるフックレバーに係合するためのフック部と、前記フック部後部に備えられた当接片と、前記フック部概略中央に備えられた軸に設けられるとともに前記フック部先端を上方に回動付勢する付勢バネとを有し、前記加熱板未装着時には前記付勢バネにより前記フック部は先端を上方に回動して前記フックレバーとの係合が阻止され、かつ、前記加熱板装着時には前記加熱板支えが前記当接片を押圧して前記フック部を前記フックレバーに係合することにより、フック部は、フックレバーを起こしながら蓋体を本体に載置することにより、前記フックレバーと係合可能としてなることにより、蓋体の閉鎖時に意識的にフックレバーを倒せば蓋体を本体に対して閉鎖することが可能となり、誤使用を防止するとともに、蓋体の閉鎖時に意識的にフックレバーを倒せば蓋体を本体に対して閉鎖可能となり、加熱板の洗浄または乾燥等のお手入れ時に蓋体開放のスペースを不要とするものである。
【０００８】
請求項２記載の発明は、鍋を収納する本体と、前記鍋の上面開口部を覆う蓋体と、前記蓋体の内面に着脱自在に配設された加熱板と、加熱板の外周を保持する加熱板支えと、前記蓋体に設けられるとともに前記本体に配設され回動操作されるフックレバーに係合するためのフック部と、前記加熱板支えに設けられるとともに前記加熱板を蓋体に装着する際に前記蓋体のフック部をフックレバーに係合可能とするための係合片と、前記係合片に設けられるとともにフック部の前記フックレバーへの係合を案内するための傾斜部とを有してなり、前記加熱板装着時には前記フック部は前記傾斜部にガイドされて前記フックレバーに係合されることにより、フック部は、フックレバーを起こしながら蓋体を本体に載置することにより、前記フックレバーと係合可能としてなることにより、蓋体の閉鎖時に意識的にフックレバーを倒せば蓋体を本体に対して閉鎖することが可能となり、誤使用を防止するとともに、蓋体の閉鎖時に意識的にフックレバーを倒せば蓋体を本体に対して閉鎖可能となるものである。
【実施例】
【０００９】
（参考例１）
以下、本発明の参考例について、図１から図３を用いて説明する。
【００１０】
図１および図２は炊飯器の要部縦断面図を、図３は同要部斜視図を示し、図２において加熱板２５を支える加熱板支えは２６蓋体１８への加熱板２５の着脱操作を確実に行うものであり、図３において加熱板支え２６の外周に設けたフック片２８と、このフック片２８を蓋体１８との係合側に付勢する弾性体である支えバネ３１から構成されている。
【００１１】
図１から図３において、本体１４は、往来の炊飯器と同様に上面開口し、この本体１４には鍋１５を着脱自在に配置し、この鍋１５を収納する保護枠１６と、この保護枠１６外周には誘導加熱用の誘導コイル１７を備えている。本体１４の上方にはこの本体１４と鍋１５の上面開口部を開閉自在に覆う蓋体１８を備えている。この蓋体１８は本体１４の後部のヒンジ部１９備えたヒンジ軸２０で、開閉自在に軸支されるとともに、このヒンジ部１９の略反対側には本体１４の前部に備えたフックレバー２１に係合する係合部２２を備えている。また蓋体１８はヒンジ部１９に内装したヒンジバネ２３により前記フックレバー２１の回動操作による蓋体１８の係合部２２との係合離脱により本体１４および鍋１５を開放する。
【００１２】
前記蓋体１８には誘導加熱用の蓋コイル２４が内装され、この蓋コイル２４と所定の隙間を持たせて前記鍋１５の上面開口部を閉塞するステンレス鋼製の加熱板２５を備える。この加熱板２５の外周はに樹脂性の加熱板支え２６が設けられ、前記鍋１５の上面開口部をシールする鍋パッキン２７を挟持してリベットまたはネジにより一体化するとともに、その外周には概略３等分してその２方向に放射状に伸設したフック片２８と残りの１方向には前記係合部２２が蓋体１８の係合口２９を貫通して設けられている。
【００１３】
また前記フック片２８の先端に位置する蓋体１８には係合爪３０が設けられ、前記係合口２９を貫通させた係合部２２とともに加熱板支え２６のフック片２８と係合爪３０とで加熱板支え２６と一体化した加熱板２５を前記蓋体１８に着脱自在に構成している。また前記フック片２８にはこのフック片２８を前記蓋体１８側に付勢する支えバネ３１を前記加熱板２５と前記加熱板支え２６間に挟持して備えている。
【００１４】
以上のように構成され炊飯器について動作を以下に説明する。
【００１５】
つまり誘導コイル１７で鍋１５を直接加熱するとともに蓋コイル２４で適宜加熱される加熱板２５での加熱により炊飯・保温されることとなるが、この炊飯・保温終了時に加熱板２５は加熱板支え２６に設けたフック片２８により、さらにはこのフック片２８に設けた支えバネ３１により常に確実に蓋体１８と着脱できるものである。
【００１６】
（実施例１）
図４および図５は炊飯器の要部縦断面図を示し、図５において蓋体３８の本体１４フックレバー２１側に設けたフック部４１は加熱板４５の装着時以外はフックレバー２１への係合を阻止する作用を行うもので、このフック部４１は後部に当接片４２を備えその概略中央に備えた軸４３で蓋体３８に軸支するとともに、この軸４３にはフック部４１先端を上方に回動付勢する付勢バネ４４とを備えて前記加熱板４５の蓋体３８への装着つまりは、前記フック部４１の当接片４２への加熱板４５の未当接時に前記フック部４１先端４１ａを上方へ回動してフックレバー２１との係合を阻止するフック部４１移動手段から構成されている。
【００１７】
図４および図５において、本体１４・鍋１５・保護枠１６・誘導コイル１７・フックレバー２１および蓋コイル２４は参考例と同じである。本体１４の上方にはこの本体１４と鍋１５の上面開口部を開閉自在に覆う蓋体３８を備えている。この蓋体３８は本体１４の後部のヒンジ部３９備えたヒンジ軸４０で、開閉自在に軸支されるとともに、このヒンジ部３９の略反対側には本体１４の前部に備えたフックレバー２１に係合するフック部４１を備えている。このフック部４１は後部に当接片４２を備えその概略中央に備えた軸４３で蓋体３８に軸支するとともに、この軸４３にはフック部４１先端を上方に回動付勢する付勢バネ４４とを備えている。
【００１８】
また、蓋体３８には前記蓋コイル２４と所定の隙間を持たせて前記鍋１５の上面開口部を閉塞するステンレス鋼製の加熱板４５を備える。この加熱板４５の外周はに樹脂性の加熱板支え４６が設けられ、前記鍋１５の上面開口部をシールする鍋パッキン４７を挟持してリベットまたはネジにより一体化するとともに、その外周には概略３等分しその３方向の放射状に伸設して参考例と同様のフック片（図示せず）が設けられている。
【００１９】
また、前記フック片（図示せず）の先端に位置して前記蓋体３８には参考例と同様の係合爪（図示せず）を内面側壁にそれぞれ備え、前記加熱板支え４６を着脱自在とする。また前記蓋体３８の加熱板支え４６のセット部５２には当接片４２の収納部５３を設け、前記加熱板支え４６のセット部５２への装着時には加熱板支え４６に当接して前記付勢バネ４４に抗して収納される。
【００２０】
以上のように構成され炊飯器について動作を以下に説明する。
【００２１】
つまり前記加熱板４５の蓋体３８への装着時には加熱板支え４６により前記当接片４２を押圧してフック部４１をフックレバー２１に係合可能となるが、加熱板４５未装着時にはフック部４１はその先端４１ａを上方に回動させてフックレバー２１との係合を阻止するものである。その結果蓋体３８は閉鎖不可能となるものである。
【００２２】
（実施例２）
図６および図７は炊飯器の要部縦断面図を示し、図７において蓋体５８に着脱自在とする加熱板６５の未装着時には、蓋体５８の閉鎖を阻止するとともに蓋体５８の閉鎖動作時に意識的にフックレバー２１を倒せば蓋体５８を本体１４に対して閉鎖する作用を可能とするもので、前記フックレバー２１の係合の案内用の傾斜部６２を前記加熱板６５と一体的に設けて構成されている。
【００２３】
図６および図７において、本体１４・鍋１５・保護枠１６・誘導コイル１７・フックレバ２１および蓋コイル２４は実施例１と同じである。本体１４の上方にはこの本体１４と鍋１５の上面開口部を開閉自在に覆う蓋体５８を備えている。この蓋体５８は本体１４の後部のヒンジ部５９備えたヒンジ軸６０で、開閉自在に軸支されるとともに、このヒンジ部５９の略反対側には本体１４の前部に備えたフックレバー２１に係合するフック部６１を備えている。
【００２４】
また、蓋体５８には前記蓋コイル２４と所定の隙間を持たせて前記鍋１５の上面開口部を閉塞するステンレス鋼製の加熱板６５を備える。この加熱板６５の外周には樹脂性の加熱板支え６６が設けられ、前記鍋１５の上面開口部をシールする鍋パッキン６７を挟持してリベットまたはネジにより一体化するとともに、その外周には概略３等分して１方向には前記蓋体５８のフック部６１の下部の係合口５９を貫通して傾斜部６２が、残りの２方向に放射状に伸設して参考例と同様のフック片（図示せず）が設けられている。
【００２５】
また、前記フック片（図示せず）の先端に位置する蓋体５８には実施例１と同様の係合爪（図示せず）が設けられ、前記係合口５９を貫通させた傾斜部６２とともに加熱板支え６６で一体化した加熱板６５を前記蓋体５８に着脱自在に構成している。
【００２６】
以上のように構成され炊飯器について動作を以下に説明する。
【００２７】
つまり加熱板６５の蓋体５８への装着時には、蓋体５８のフック部６１は蓋体５８の押圧操作によりフックレバー２１に傾斜部６２にガイドされてワンタッチで係合される。また加熱板６５の未装着時には、蓋体５８のフック部６１は傾斜部６２が無いためフックレバー２１に当接して係合できなくなる。しかしながらフック部６１とフックレバー２１の係合を意図して蓋体５８を閉鎖する際にフックレバー２１をお越しながら蓋体５８を押圧すると、フックレバー２１との係合が可能となるものである。
【図面の簡単な説明】
【００２８】
【図１】本発明の参考例における炊飯器の破断断面図
【図２】同炊飯器の要部断面図
【図３】同炊飯器の要部斜視図
【図４】本発明の第１の実施例における炊飯器の破断断面図
【図５】同炊飯器の要部断面図
【図６】本発明の第２の実施例における炊飯器の破断断面図
【図７】同炊飯器の要部断面図
【図８】従来の炊飯器の断面図
【符号の説明】
【００２９】
１４  本体
１５  鍋
１８  蓋体
２１  フックレバー
２２  係合部
２５  加熱板
２６  加熱板支え
２７  鍋パッキン
２８  フック片
３０  係合爪
３１  支えバネ
３８  蓋体
４１  フック部
４２  当接部
４３  軸
４４  付勢バネ
４５  加熱板
４６  加熱板支え
４７  鍋パッキン
５８  蓋体
６１  フック部
６２  傾斜部
６５  加熱板
６６  加熱板支え
６７  鍋パッキン
【図１】
0003644451.tif 000002
【図２】
0003644451.tif 000003
【図３】
0003644451.tif 000004
【図４】
0003644451.tif 000005
【図５】
0003644451.tif 000006
【図６】
0003644451.tif 000007
【図７】
0003644451.tif 000008
【図８】
0003644451.tif 000009